(57)【要約】【課題】白蟻の侵入・食害を確実に防止すると共に、柱材を容易に立設することができ、かつ、コストの低廉化を図れるようにした建築物の防蟻構造を提供すること。【解決手段】建築物を白蟻の侵入及び食害から防ぐ建築物の防蟻構造において、建築物の基礎１上に敷設される土台２に、白蟻に対する耐食性を有する金属製接続部材４を介在して柱材６を立設する。この際、柱材の下面に突設されるほぞ部材５を、接続部材の上面に設けられたほぞ穴４３に挿入することで柱材と接続部材を接合する。【選択図】        図２
2008050932.tif 000002
【特許請求の範囲】
【請求項１】
建築物を白蟻の侵入及び食害から防ぐ建築物の防蟻構造であって、
上記建築物の基礎上に敷設される土台に、白蟻に対する耐食性を有する金属製接続部材を介在して柱材を立設し、
上記柱材の下面に突設されるほぞを、上記接続部材の上面に設けられたほぞ穴に挿入・固定することで柱材と接続部材を接合してなる、ことを特徴とする建築物の防蟻構造。
【請求項２】
請求項１記載の建築物の防蟻構造において、
上記接続部材は、断面が中空矩形状で、中空部内に互いに平行な少なくとも２以上のリブを有するアルミニウム製押出形材にて形成され、
上記ほぞ穴は、上記接続部材のリブ間に形成されている、ことを特徴とする建築物の防蟻構造。
【請求項３】
請求項２記載の建築物の防蟻構造において、
上記接続部材の上端部のリブを切り欠いて凹所を形成し、上記凹所内に柱材の下端部を嵌挿してなる、ことを特徴とする建築物の防蟻構造。
【請求項４】
請求項１ないし３のいずれかに記載の建築物の防蟻構造において、
上記土台は断面が中空矩形状で、中空部内に互いに平行な少なくとも２以上のリブを有するアルミニウム製押出形材にて形成され、
上記土台の上面のリブ間に相当する箇所を切り欠いてほぞ穴が形成され、
上記土台と接続部材は、土台の上面のほぞ穴に挿入される第１の挿入部と、接続部材の下面に形成されるほぞ穴に挿入される第２の挿入部を有する金属製の固定部材の各挿入部を上記ほぞ穴に挿入・固定することで接合されている、ことを特徴とする建築物の防蟻構造。
【請求項５】
請求項４記載の建築物の防蟻構造において、
上記固定部材は、アルミニウム製押出形材を切断して形成されている、ことを特徴とする建築物の防蟻構造。
【請求項６】
請求項４記載の建築物の防蟻構造において、
上記接続部材のほぞ穴は、リブ間の隙間にて形成されている、ことを特徴とする建築物の防蟻構造。
【請求項７】
請求項１ないし４のいずれかに記載の建築物の防蟻構造において、
上記柱材の下面に突設されるほぞは、柱材の下面に設けられた凹部に挿入・固定される金属製のほぞ部材にて形成されている、ことを特徴とする建築物の防蟻構造。
【請求項８】
請求項７記載の建築物の防蟻構造において、
上記ほぞ部材は、アルミニウム製押出形材を切断して形成されている、ことを特徴とする建築物の防蟻構造。
【請求項９】
請求項４ないし８のいずれかに記載の建築物の防蟻構造において、
上記固定部材とほぞ部材が一体の部材にて形成されている、ことを特徴とする建築物の防蟻構造。
【請求項１０】
請求項１ないし４のいずれかに記載の建築物の防蟻構造において、
上記接続部材は、筋交いの取付用リブを有する、ことを特徴とする建築物の防蟻構造。
【発明の詳細な説明】
【技術分野】
【０００１】
この発明は、建築物を白蟻の侵入及び食害から防ぐ建築物の防蟻構造に関するものである。
【背景技術】
【０００２】
一般の主な木造住宅は、コンクリートからなる基礎上に土台となる木材を敷設し、土台の上に柱を立設するという工法が採られている。そのため、住宅を白蟻の侵入・食害から防ぐための防蟻処理が必要となる。
【０００３】
一般的な防蟻処理としては、建築物の基礎等の表面に防蟻剤を施すことが多い。しかしながら、防蟻剤を使用する化学的方法は、その効果を維持できる期間が限られている上に、人間にも毒性があるため、近年では防蟻剤をしない方法が考えられている。
【０００４】
この防蟻剤を使用しない防蟻方法として、建築物の構成部材のうち、グランドレベルを基準にして所定高さ以下に存在する構成部材や所定高さ以下に存在する構成部材の部分の、少なくとも屋外側の面を、三次元の不規則な網目構造の金属製パッドで被覆してなるものが知られている（例えば、特許文献１参照）。
【０００５】
また、別の防蟻剤を使用しない防蟻方法として、建築物を構成する土台及び柱材を筒状のメッシュ体に挿通した構造が知られている（例えば、特許文献２参照）。
【特許文献１】特開２００４−１２４４８４号公報（特許請求の範囲、図２）
【特許文献２】特開２００４−３０５１０３号公報（特許請求の範囲、図１，図３〜図６）
【発明の開示】
【発明が解決しようとする課題】
【０００６】
しかしながら、特開２００４−１２４４８４号公報に記載の構造においては、三次元の不規則な網目構造の金属製パッドを対象となる柱材等に巻き付けて被覆するため、施工が面倒な上、コストが嵩むという問題があった。また、特開２００４−３０５１０３号公報に記載の構造においては、筒状のメッシュ体に柱材等を挿通する必要があるため、これにおいても施工が面倒な上コストが嵩むという問題があった。
【０００７】
この発明は、上記事情に鑑みてなされたのもので、白蟻の侵入・食害を確実に防止すると共に、柱材を容易に立設することができ、かつ、コストの低廉化を図れるようにした建築物の防蟻構造を提供することを課題とする。
【課題を解決するための手段】
【０００８】
上記課題を解決するため、請求項１記載の発明は、建築物を白蟻の侵入及び食害から防ぐ建築物の防蟻構造であって、上記建築物の基礎上に敷設される土台に、白蟻に対する耐食性を有する金属製接続部材を介在して柱材を立設し、上記柱材の下面に突設されるほぞを、上記接続部材の上面に設けられたほぞ穴に挿入・固定することで柱材と接続部材を接合してなる、ことを特徴とする。
【０００９】
このように構成することにより、土台に立設される柱材の下端部側を、白蟻に対する耐食性を有する金属製接続部材にて構成することができる。
【００１０】
請求項２に記載の発明は、請求項１記載の建築物の防蟻構造において、上記接続部材は、断面が中空矩形状で、中空部内に互いに平行な少なくとも２以上のリブを有するアルミニウム製押出形材にて形成され、上記ほぞ穴は、上記接続部材のリブ間に形成されている、ことを特徴とする。ここで、アルミニウムとは、アルミニウム合金を含む意味である。
【００１１】
このように構成することにより、接続部材を軽量にすることができると共に、ほぞ穴の加工を不要にすることができる。
【００１２】
また、請求項３記載の発明は、請求項２記載の建築物の防蟻構造において、上記接続部材の上端部のリブを切り欠いて凹所を形成し、上記凹所内に柱材の下端部を嵌挿してなる、ことを特徴とする。この場合、柱材の下端部の外側面に、接続部材の中空部を形成する内側面の寸法に合う切欠き段部を設けてもよい。
【００１３】
このように構成することにより、柱材の下端部を接続部材の中空部内に嵌挿させて、接続部材と柱材とを接合することができる。
【００１４】
また、請求項４記載の発明は、請求項１ないし３のいずれかに記載の建築物の防蟻構造において、上記土台は断面が中空矩形状で、中空部内に互いに平行な少なくとも２以上のリブを有するアルミニウム製押出形材にて形成され、上記土台の上面のリブ間に相当する箇所を切り欠いてほぞ穴が形成され、上記土台と接続部材は、土台の上面のほぞ穴に挿入される第１の挿入部と、接続部材の下面に形成されるほぞ穴に挿入される第２の挿入部を有する金属製の固定部材の各挿入部を上記ほぞ穴に挿入・固定することで接合されている、ことを特徴とする。この場合、上記固定部材を、アルミニウム製押出形材を切断して形成することができる（請求項５）。この場合、上記接続部材のほぞ穴を、土台のリブ間の隙間にて形成する方が好ましい（請求項６）。
【００１５】
このように構成することにより、土台に白蟻に対する耐食性を持たせることができると共に、土台の軽量化が図れ、かつ、土台と接続部材との接合を容易にすることができる。
【００１６】
この場合、接続部材のほぞ穴をリブ間の隙間にて形成することにより、ほぞ穴加工を不要にすることができる（請求項６）。
【００１７】
また、請求項７記載の発明は、請求項１ないし４のいずれかに記載の建築物の防蟻構造において、上記柱材の下面に突設されるほぞは、柱材の下面に設けられた凹部に挿入・固定される金属製のほぞ部材にて形成されている、ことを特徴とする。この場合、上記ほぞ部材を、アルミニウム製押出形材を切断して形成することができる（請求項８）。
【００１８】
このように構成することにより、柱材と接続部材を接合するほぞを、白蟻に対する耐食性を有する金属製ほぞ部材にて形成することができる。
【００１９】
また、請求項９記載の発明は、請求項４ないし８のいずれかに記載の建築物の防蟻構造において、上記固定部材とほぞ部材が一体の部材にて形成されている、ことを特徴とする。
【００２０】
このように構成することにより、固定部材とほぞ部材を一体に形成した部材を用いて、土台と接続部材の接合、及び接続部材と柱材の接合を行うことができる。
【００２１】
加えて、請求項１ないし４のいずれかに記載の建築物の防蟻構造において、上記接続部材に、筋交いの取付用リブを設けてもよい（請求項１０）。
【００２２】
このように構成することにより、接続部材を介して立設される柱材に筋交いの取り付けを容易にすることができる。
【発明の効果】
【００２３】
この発明によれば、上記のように構成されているので、以下のような優れた効果が得られる。
【００２４】
（１）請求項１記載の発明によれば、土台に立設される柱材の下端部側を、白蟻に対する耐食性を有する金属製接続部材にて構成することができるので、柱材を白蟻の侵入及び食害から保護することができる。
【００２５】
（２）請求項２に記載の発明によれば、断面が中空矩形状で、中空部内に互いに平行な少なくとも２以上のリブを有するアルミニウム製押出形材にて形成され、ほぞ穴は、接続部材のリブ間に形成されているので、接続部材を軽量にすることができると共に、ほぞ穴の加工を不要にすることができる。したがって、上記（１）に加えて、更に施工の容易化及びコストの削減を図ることができる。
【００２６】
（３）請求項３記載の発明によれば、柱材の下端部を接続部材の中空部内に嵌挿させて、接続部材と柱材とを接合することができるので、上記（１），（２）に加えて、更に接続部材と柱材との接合を強固にすることができる。
【００２７】
（４）請求項４，５記載の発明によれば、土台に白蟻に対する耐食性を持たせることができると共に、土台の軽量化が図れ、かつ、土台と接続部材との接合を容易にすることができる。したがって、上記（１）〜（３）に加えて、更に施工を容易にすることができると共に、白蟻の侵入及び食害を更に確実に防止することができる。この場合、接続部材のほぞ穴をリブ間の隙間にて形成することにより、ほぞ穴加工を不要にすることができるので、更にコストの低廉化を図ることができる（請求項６）。
【００２８】
（５）請求項７記載の発明によれば、柱材と接続部材を接合するほぞを、白蟻に対する耐食性を有する金属製ほぞ部材にて形成することができるので、上記（１）〜（４）に加えて、更に柱材のほぞ部分に防蟻機能を持たせることができる。
【００２９】
（６）請求項９記載の発明によれば、固定部材とほぞ部材を一体に形成した部材を用いて、土台と接続部材の接合、及び接続部材と柱材の接合を行うことができるので、上記（１）に加えて、更に構成部材の削減を図ることができる。
【００３０】
（７）請求項１０記載の発明によれば、接続部材を介して立設される柱材に筋交いの取り付けを容易にすることができるので、上記（１）〜（４）に加えて、更に施工の容易化が図れると共に、柱材同士の強度を向上させることができる。
【発明を実施するための最良の形態】
【００３１】
以下に、この発明の最良の実施形態を添付図面に基づいて詳細に説明する。
【００３２】
＜第１実施形態＞
図１は、この発明に係る防蟻構造の第１実施形態の組立状態を示す斜視図、図２は、第１実施形態の要部を示す一部断面斜視図、図３は、第１実施形態の要部の分解斜視図である。
【００３３】
この発明に係る建築物は、図１に示すように、コンクリート製の基礎１の上面に土台２を敷設し、この土台２の上面に後述する固定部材３を介して白蟻に対して耐食性を有する金属製接続部材４を立設し、この接続部材４の上面にほぞ部材５を介して柱材６を立設し、柱材６の屋外側に外壁材７を取り付けてなる。この場合、グランドレベル好ましくは土台２の上面を基準にして１ｍの高さまでの領域に接続部材４が配設されている。また、隣接する柱材６には、接続部材４の対向する側面の下端部に突設された筋交い取付用リブ４２にボルト８をもって固定される筋交い９が連結されている。
【００３４】
接続部材４は、図３に示すように、断面が中空矩形状で、中空部４０内に互いに平行な２つのリブ４１を有し、対向する側面の下端部側に筋交い取付用リブ４２を有するアルミニウム製押出形材にて形成されている。筋交い取付用リブ４２は、接続部材４の押出成形後に所定長さに切断されて形成される。なお、筋交いを取り付ける必要のない箇所においては、筋交い取付用リブ４２を省略してもよい。なお、リブ４１によって接続部材４の強度が保たれているので、リブ４１を２つ以上設けることによって接続部材４の強度を更に高めることができる。また、接続部材４は、リブ４１間の隙間によってほぞ穴４３が形成されている。
【００３５】
接続部材４と柱材６とを接合するほぞ部材５は、金属製例えばアルミニウム合金製の押出形材を切断して形成されている。この場合、ほぞ部材５は、柱材６の下面に設けられた凹部６０内に挿入される断面矩形状の第１の挿入部５１と、接続部材４の上端部におけるほぞ穴４３内に挿入される、第１の挿入部５１より幅広の断面矩形状の第２の挿入部５２とからなる。また、第１の挿入部５１には、柱材６の下端部における対向する側面に水平方向に並列して穿設された２つの貫通孔６１をそれぞれ貫通する固定ピン１０が貫通し嵌合する固定孔５３が設けられている。また、第２の挿入部５２には、接続部材４の上端部における対向する側面とリブ４１に水平方向に並列して穿設された２つの貫通孔４４をそれぞれ貫通する固定ピン１０が貫通し嵌合する固定孔５３が設けられている。
【００３６】
土台２は、例えばアルミニウム合金製の押出形材にて形成されており、中空矩形状本体２０と、この本体２０の内方中空部２１を区画する互いに平行な垂直方向に位置する２つのリブ２２とで構成されている。なお、リブ２２によって土台２の強度が保たれているので、リブ２２を２つ以上設けることによって土台２の強度を更に高めることができる。
【００３７】
また、土台２の上面のリブ２２間に相当する箇所を切り欠いて矩形状のほぞ穴２３が形成されており、土台２と接続部材４は、土台２の上面のほぞ穴２３に挿入される第１の挿入部３１と、接続部材４の下面に形成されるほぞ穴４３に挿入される第２の挿入部３２を有する固定部材３の各挿入部３１，３２をほぞ穴４３に挿入し、固定ピン１０によって固定することで接合されている。
【００３８】
この場合、固定部材３は、例えばアルミニウム合金製の断面矩形状の押出形材を切断して形成されている。また、固定部材３における第１の挿入部３１には、接続部材４の下端部における対向する側面とリブ４１に水平方向に並列して穿設された２つの貫通孔４５をそれぞれ貫通する固定ピン１０が嵌合する固定孔３３が設けられている。また、第２の挿入部３２には、土台２の対向する側面とリブ２２に水平方向に並列して穿設された２つの貫通孔２４をそれぞれ貫通する固定ピン１０が嵌合する固定孔３３が設けられている。
【００３９】
上記のように構成される接続部材４を介在して土台２上に柱材６を組み立てるには、まず、基礎１の上面にスペーサ７０を介在させて土台２を敷設すると共に、アンカーボルト８０によって固定する。
【００４０】
次に、接続部材４のほぞ穴４３内に固定部材３の第１の挿入部３１を挿入した状態で、固定ピン１０を接続部材４の貫通孔４５，第１の挿入部３１の固定孔３３に嵌合して、固定部材３を固定し、固定部材３の第２の挿入部３２を土台２のほぞ穴２３内に挿入した状態で、固定ピン１０を土台２の貫通孔２４，第２の挿入部３２の固定孔３３に嵌合して、固定部材３を固定、すなわち土台２と接続部材４とを接合する。
【００４１】
一方、柱材６の下面の凹部６０にほぞ部材５の第１の挿入部５１を挿入した状態で、固定ピン１０を柱材６の貫通孔６１，ほぞ部材５の固定孔５３に嵌合して、ほぞ部材５を突設し、次に、柱材６の下面に突出したほぞ部材５の第２の挿入部５２を、接続部材４の上端部におけるほぞ穴４３内に挿入した状態で、固定ピン１０を接続部材４の貫通孔４４，第２の挿入部５２の固定孔５３に嵌合して、ほぞ部材５を固定、すなわち接続部材４と柱材６とを接合する。その後、隣接する柱材６同士は、接続部材４に突設された筋交い取付用リブ４２にボルト８をもって一端部が固定され、他端部が柱材６の上端の梁材（図示せず）との接合部側に固定される筋交い９によって連結される。
【００４２】
なお、上記説明では、土台２に接続部材４を接合（立設）した後に、接続部材４と柱材６とを接合（立設）する場合について説明したが、逆の手順にしてもよい。すなわち、まず、ほぞ部材５を介して柱材６と接続部材４とを接合し、その後に柱材６を接合した接続部材４を固定部材３を介して土台２上に接合（立設）するようにしてもよい。
【００４３】
＜第２実施形態＞
図４は、この発明に係る防蟻構造の第２実施形態の要部を示す断面図、図５は、第２実施形態の要部を示す分解斜視図である。
【００４４】
第２実施形態は、接続部材４と柱材６との接合を強固にした場合である。すなわち、接続部材４の上端部のリブ４１を切り欠いて凹所４６を形成し、この凹所４６内に柱材６の下端部を嵌挿すると共に、ほぞ部材５を介して接続部材４と柱材６とを接合した場合である。なお、この場合、接続部材４の中空部４０の内面間の寸法を柱材６の幅寸法より若干広く形成して接続部材４の凹所４６内に柱材６に嵌挿してもよいが、接続部材４の外面間の寸法を柱材６の幅寸法と略同一にし、柱材６における接続部材４の凹所４６内への嵌挿領域に切欠き段部６２を設けて、柱材６の外面と接続部材４の外面とを同一面上に配置する方が美観の向上が図れる点で好ましい。
【００４５】
また、接続部材４における少なくとも柱材６を嵌挿領域における側壁に、白蟻の通過を阻止する開口の多数の通気孔４７を設ける方が好ましい。これにより、接続部材４の凹所４６に嵌挿されて、接続部材４で被覆された柱材６に通気性を持たせることができる。
【００４６】
また、接続部材４における凹所４６の領域の対向する側面には、水平方向に並列して穿設された２つの貫通孔４８が設けられ、これら貫通孔４８と柱材６に設けられた貫通孔６１を貫通する固定ピン１０がほぞ部材５に設けられた固定孔５３に嵌合されて、接続部材４と柱材６とが接合されるようになっている。
【００４７】
なお、第２実施形態において、その他の部分は第１実施形態と同じであるので、同一部分には同一符号を付して説明は省略する。
【００４８】
＜第３実施形態＞
図６は、この発明に係る防蟻構造の第３実施形態の要部を示す断面図、図７は、第３実施形態の要部を示す分解斜視図である。
【００４９】
第３実施形態は、接続部材４と柱材６を接合するほぞ部５６と、土台２と接続部材４を接合する固定部５７とを一体に形成したほぞ・固定部材５０を用いて、土台２，接続部材４及び柱材６を接合（立設）する場合である。
【００５０】
この場合、ほぞ・固定部材５０は、例えばアルミニウム製の押出形材を切断して形成されている。また、ほぞ・固定部材５０は、接続部材４の上端側及び下端側に長手通しに設けられるほぞ穴４３内に挿入される断面矩形状の本体５８の上端部に、柱材６の下面に設けられた凹部６０内に挿入・固定される挿入部５９を段部を介して延在してなる。
【００５１】
また、本体５８の上端部のほぞ部５６には、接続部材４の上端部における対向する側面とリブ４１又は側面のみに水平方向に並列して穿設された４つの貫通孔４４，４８をそれぞれ貫通する固定ピン１０が嵌合する固定孔５３が設けられている。また、本体５８の下端部の固定部５７には、接続部材４の下端部における対向する側面とリブ４１に水平方向に並列して穿設された２つの貫通孔４５をそれぞれ貫通する固定ピン１０が嵌合する固定孔５３と、土台２の対向する側面とリブ２２に水平方向に並列して穿設された２つの貫通孔２４をそれぞれ貫通する固定ピン１０が嵌合する固定孔５３が設けられている。
【００５２】
なお、第３実施形態において、その他の部分は第２実施形態と同じであるので、同一部分には同一符号を付して説明は省略する。
【００５３】
上記のように構成される第３実施形態の防蟻構造によれば、ほぞ・固定部材５０を用いて、土台２と接続部材４の接合、及び接続部材４と柱材６の接合を行うことができるので、構成部材の削減が図れると共に、施工の簡略化が図れる。
【００５４】
＜第４実施形態＞
図８は、この発明に係る防蟻構造の第４実施形態の要部を断面で示す斜視図、図９は、第４実施形態の要部を示す斜視図である。
【００５５】
第４実施形態は、土台２と接続部材４を固定する固定部材を、土台２と基礎１の間に介在されるスペーサと一体に形成した場合である。
【００５６】
この場合、スペーサ付き固定部材１００は、図８及び図９に示すように、扁平中空矩形状のスペーサ部１１０と、スペーサ部１１０の上面中央に起立する中空矩形状の固定部１２０とで構成されている。また、スペーサ部１１０の中空部１１１内には、互いに平行な２つの縦リブ１１２が設けられ、固定部１２０の中空部１２１内には１つ横リブ１２２が設けられている。また、固定部１２０の上部側の２箇所には貫通孔１２３が設けられている。なお、スペーサ部１１０の幅は、土台２の幅と略同一に形成され、固定部１２０の幅は、土台２のリブ２２間に切り欠かれたほぞ穴２３及び接続部材４に設けられたほぞ穴４３内に挿入可能に形成されている。
【００５７】
上記のように構成されるスペーサ付き固定部材１００は、アルミニウム合金製の中空押出形材を所定の寸法に切断して形成される。
【００５８】
上記のように構成されるスペーサ付き固定部材１００は、固定部１２０が土台２のほぞ穴２３内を貫挿し、土台２の上方に突出した突出部が接続部材４のほぞ穴４３内に挿入され、この状態で、固定ピン１０を接続部材４の貫通孔４５，固定部１２０の貫通孔１２３に嵌合することで、土台２と接続部材４とを固定する。
【００５９】
上記のように構成される第４実施形態によれば、土台２と接続部材４を固定する固定部材と、土台２と基礎１の間に介在されるスペーサと一体に形成するので、柱材６の荷重をその直下で支持することが可能になる。また、スペーサ部１１０を土台２に固定することができるので、土台２に対してスペーサ部１１０の位置がずれることがなく、かつ、施工作業が容易になる。
【００６０】
なお、第４実施形態において、その他の部分は第１実施形態と同じであるので、同一部分には同一符号を付して説明は省略する。
【００６１】
＜その他の実施形態＞
なお、上記実施形態では、接続部材４が筋交い取付用リブ４２を有する場合について説明したが、筋交い取付用リブ４２は必ずしも設ける必要はなく、筋交いの取付が必要ない柱材については筋交い取付用リブ４２のない接続部材４を使用することができる。
【００６２】
また、上記実施形態では、接続部材４と柱材６を接続するほぞ部材５をアルミニウム合金製の押出形材にて形成した場合について説明したが、図１０に示すように、ほぞ部材５に代えて柱材６の下面にほぞ部６３を形成してもよい。この場合、ほぞ部６３は、接続部材４のリブ４１間に形成されるほぞ穴４３内に挿入され、この状態で固定ピン１０を接続部材４の貫通孔４４、ほぞ部６３に設けられた貫通孔６４に嵌合して固定する。
【００６３】
上記実施形態では、接続部材４はアルミニウム合金製の押出形材にて形成されているため、木材に比べて耐火性の向上が図られている。更に耐火性を高めるために、図１１に示すように、接続部材４におけるリブ４１と外側面との間に形成される側方中空部４８内に、防火剤２００、例えば水酸化アルミニウム，水酸化マグネシウムあるいはこれらを含有する珪藻土等を充填し、接続部材４側壁に、側方中空部４８に連通する複数の透孔４９を設けるようにする方が好ましい。なお、防火剤２００に用いられる水酸化アルミニウム，水酸化マグネシウムあるいはこれらを含有する珪藻土等は、それ自体が不燃性であり、加熱時において水分子を放出する際に吸熱反応を起こす性質を有する。加えて、放出された水も熱容量が大きいため、不燃性に寄与できる。
【００６４】
このように接続部材４の側方中空部４８内に、防火剤２００を充填することにより、火災時に防火剤が透孔４９から析出すなわち水分子を放出して接続部材４の表面を覆い、この際の吸熱反応と放出された水により耐火性能を確保することができる。
【００６５】
なお、図１１において、その他の部分は第１実施形態及び第４実施形態と同じであるので、同一部分には同一符号を付して説明は省略する。
【図面の簡単な説明】
【００６６】
【図１】この発明に係る防蟻構造の第１実施形態の組立状態を示す斜視図である。
【図２】第１実施形態の要部を示す一部断面斜視図である。
【図３】第１実施形態の要部の分解斜視図である。
【図４】この発明に係る防蟻構造の第２実施形態の要部を示す断面図である。
【図５】第２実施形態の要部の分解斜視図である。
【図６】この発明に係る防蟻構造の第３実施形態の要部を示す断面図である。
【図７】第３実施形態の要部の分解斜視図である。
【図８】この発明に係る防蟻構造の第４実施形態の要部を断面で示す斜視図である。
【図９】第４実施形態の要部を示す斜視図である。
【図１０】この発明における柱材にほぞ部を設けた場合の柱材と接続部材との固定状態を示す断面斜視図（ａ）及びその分解斜視図（ｂ）である。
【図１１】この発明における接続部材に耐火性をもたせた場合の一例を示す断面斜視図である。
【符号の説明】
【００６７】
１  基礎
２  土台
２０  中空矩形状本体
２１  中空部
２２  リブ
２３  ほぞ穴
２４  貫通孔
３  固定部材
３１  第１の挿入部
３２  第２の挿入部
３３  固定孔
４  接続部材
４０  中空部
４１  リブ
４３  ほぞ穴
４４，４５  貫通孔
４６  凹所
５  ほぞ部材
５０  ほぞ・固定部材
５１  第１の挿入部
５２  第２の挿入部
５３  固定孔
５６  ほぞ部
５７  固定部
６  柱材
６０  凹部
６１  貫通孔
６３  ほぞ部
６４  貫通孔
１０  固定ピン
１００  スペーサ付き固定部材
【図１】
2008050932.tif 000003
【図２】
2008050932.tif 000004
【図３】
2008050932.tif 000005
【図４】
2008050932.tif 000006
【図５】
2008050932.tif 000007
【図６】
2008050932.tif 000008
【図７】
2008050932.tif 000009
【図８】
2008050932.tif 000010
【図９】
2008050932.tif 000011
【図１０】
2008050932.tif 000012
【図１１】
2008050932.tif 000013